(57)【特許請求の範囲】
【請求項１】
ガラス管の両端に一対の電極端子を封止してなる冷陰極型の放電管と、前記ガラス管の封止部より外部に突出した前記電極端子の突出部分で電気接続して前記放電管を保持し、金属材料で形成される放電管保持部材と、導電部を有し、前記放電管保持部材と電気接続する取付板からなる照明装置であって、前記放電管保持部材は、前記電極端子の突出部分を直径方向に付勢して電気接続する電極保持部と、前記導電部に電気接続し、前記放電管との隙間が設けられるように、前記放電管軸方向で且つ前記放電管中心部方向に位置して前記電極保持部に連設される取付部とを備えることを特徴とする照明装置。
【請求項２】
前記電極保持部は、前記電極端子の突出部分を直径方向に付勢して電気接続することに替えて、前記電極端子と略同等の径の穴に挿通して電気接続することを特徴とする、請求項１記載の照明装置。
【請求項３】
前記電極保持部は、前記電極端子の外径より小径で前記電極端子の突出部分が嵌合する嵌合部を有してなる請求項１に記載の照明装置。
【請求項４】
前記放電管保持部材は、前記電極端子の外径と略同等の大きさの径の幅の溝を有し、前記ガラス管の封止部より突出した前記電極端子の突出部分が保持される電極保持部とを有してなる請求項２記載の照明装置。
【請求項５】
前記取付部は、前記取付板と嵌合して、前記取付板に固定されてなる請求項１記載の照明装置。
【請求項６】
前記電極端子は、前記ガラス管より突出した突出部分が棒状である請求項１記載の照明装置。
【請求項７】
前記電極端子は、前記電極端子の突出部分先端に金属板を取り付けてなる請求項１記載の照明装置。
【請求項８】
請求項１から７のいずれかに記載の照明装置を備えたことを特徴とする液晶表示装置。
【発明の詳細な説明】
【０００１】
【発明の属する技術分野】
本発明は、例えばパソコン、ワープロ等のＯＡ機器の液晶表示装置や液晶テレビ等のバックライトとして使用される照明装置に関する。
【０００２】
【従来の技術】
近年、パソコン、ワープロ等には液晶表示装置が多用されており、この液晶表示装置には背面からのバックライトとして冷陰極、熱陰極型の放電管を光源とした照明装置が使用されることが多い。その照明装置は液晶パネルの後方から、又は放電管の発光を樹脂製の導光板にサイドから光入射し、導光板の平面部に光誘導して平面部からの発光で液晶パネルを光照明している。
【０００３】
その照明装置は、図８に示すように、柔軟なフラットケーブルや樹脂製のプリント基板等の取付板に放電管を取り付けている。図において、１は放電管を示し、２はそのガラス管、３は放電管１の両端に封止される一方の電極端子、１０は柔軟なフラットケーブルや比較的硬度のあるプリント基板等の取付板、１１は取付板１０に施された導電部、２７は、電極端子３の端部が挿入される穴である。放電管１の取付板１０への取付は、電極端子３の端部を略直角に折り曲げ、その先端を取付穴２７に挿通し、導電部１１と電極端子３とを半田１２によって固定している。
【０００４】
図９は、別の型の放電管を取付板に取り付けてなる断面図であり、放電管１は、放電管のガラス管２の端部に封止される電極２８と固着された金属板２９を有しており、取付板１０への取付は、金属板２９と取付板１０上の導電体１１とを半田１２によって固定している。
【０００５】
【発明が解決しようとする課題】
図８の電極端子の端部を折り曲げて取付板の取付穴に挿通し半田付けする場合には、電極端子の端部を折り曲げる際に、放電管のガラス管封止部に余計な力が加わり、ガラス管の封止部に歪みやクラックが入りガラス管を損傷する危険性を有している。また、電極端子の折り曲げ位置がずれると、電極端子の端部の取付穴への挿入がスムーズにいかず、再度電極端子の折り曲げ位置を変更して折り曲げし直さなければならない。
【０００６】
また図９の放電管を使用の場合には、ガラス管に封止された電極に固着される金属板と取付板の導電部との半田付けは、半田量を相当多くしないと取付強度がでない。
【０００７】
更に、図８及び図９のいずれにおいても、発熱の大きい放電管を使用した場合には、放熱の関係より放電管を取付板との間に隙間を設けて取り付ける必要があり、この場合、取付板と放電管との隙間を維持しながら半田付け作業をしなければならない。
【０００８】
以上述べたように従来のものは、電極端子の折り曲げに伴うガラス管の損傷の危険性や、また電極端子の折り曲げ位置の調整、使用する型の放電管によっては多量の半田を使用したり、さらに放電管と取付板の隙間を維持するために放電管を保持しながら取付板に取り付けねばならない作業性にかける問題点を有している。
【０００９】
したがって本発明は、かかる従来装置の問題点を改善した照明装置を提供するものである。
【００１０】
【課題を解決するための手段】
上記目的を達成のために、本発明の照明装置は、放電管を保持し取付部材に放電管を固定して取り付ける放電管保持部材を有してなる。
【００１１】
【発明の実施の形態】
本発明の請求項１に記載の発明は、ガラス管の両端に一対の電極端子を封止してなる冷陰極型の放電管と、前記ガラス管の封止部より外部に突出した前記電極端子の突出部分で電気接続して前記放電管を保持し、金属材料で形成される放電管保持部材と、導電部を有し、前記放電管保持部材と電気接続する取付板からなる照明装置であって、前記放電管保持部材は、前記電極端子の突出部分を直径方向に付勢して電気接続する電極保持部と、前記導電部に電気接続し、前記放電管との隙間が設けられるように、前記放電管軸方向で且つ前記放電管中心部方向に位置して前記電極保持部に連設される取付部とを備えることを特徴とするので、放電管を取付板への取付に際し、電極端子のガラス管封止部より突出した突出部分を折り曲げ加工する必要がなく、電極端子保持に際し、半田付けによる作業をなくすことができる。
【００１２】
本発明の請求項２に記載の発明は、前記電極保持部は、前記電極端子の突出部分を直径方向に付勢して電気接続することに替えて、前記電極端子と略同等の径の穴に挿通して電気接続するので、放電管を取付板への取付に際し、電極端子を折り曲げ加工しなくても電極保持部に電極端子を保持して放電管を保持し、取付部で取付板に固定できる。
【００１３】
本発明の請求項３に記載の発明は、電極端子の外径より小径で前記電極端子の突出部分が嵌合する嵌合部を設けて電極保持部を形成したので、電極端子の折り曲げ加工が不要になる。
【００１４】
本発明の請求項４に記載の発明は、放電管保持部材が、電極端子の外径と略同等の大きさの径の溝を有し、前記電極端子のガラス管の封止部より突出した部分が保持される保持部と、取付板への取付部とを有してなるもので、電極端子の突出部分を放電管保持部材の保持部に挿通し、取付部を取付板の挿通穴に挿通し、その部分を半田付けにするだけでよく、電極端子の折り曲げ加工の必要性が生じない。
【００１６】
本発明の請求項５に記載の照明装置は、取付部が、取付板と嵌合して、前記取付板に固定されてなり、放電管を取付板に取り付けられた取付部を有した保持部材で取付板に取付できる。
【００１７】
請求項６に記載の照明装置は、電極端子がガラス管より突出した突出部分が棒状である放電管を使用することができるものである。
【００１８】
請求項７に記載の照明装置は、電極端子がガラス管より突出した突出部分先端に金属板を取り付けてなる放電管を使用することができるものである。
【００１９】
【実施例】
図１は本発明の照明装置の第１の実施例である分解斜視図であり、図において、１は放電管で、放電管はガラス管２、ガラス管の両端に封止される電極端子３、４を有し、更にガラス管２内部にはアルゴンガス及び拡散された水銀蒸気が封入されてなる。５は、弾性に富んだ金属材料、例えば燐青銅のような金属で形成される放電管の保持部材であり、柔軟なフラットケーブルや比較的硬度のある樹脂製のプリント基板等の取付板１０に図示矢印方向より挿通される折り曲げ部分を有した取付部６、放電管１の電極端子３が嵌合し保持される電極保持部７、半田が充填される穴８からなり、また電極保持部７は、電極端子３の外径より小さい径を有した電極の嵌合部９を有した２枚の金属板材で図示のように形成されてなる。１０は、放電管の取付板であり、上面に取付部６と電極保持部７を介して放電管の電極端子３と電気接続される導電部１１を有し、この導電部１１には穴８を介して半田付けにより放電管保持部材５が固着される。
【００２０】
組立に際しては、まず取付部６を取付板１０の取付位置まで矢印方向に挿通して穴８に半田を充填して放電管保持部材５を取付板１０に固着する。次いで、電極保持部７の嵌合部９に放電管１の電極端子３を嵌合させればよい。なお、図示していないが、取付板１０には、保持部材５の対向側に電極端子４の保持部と取付板への取付部を有した保持部材５と同構造の保持部材が同様にして取り付けられる。
【００２１】
図２は、放電管１を保持した保持部材５を取付板１０に半田付けにより固着してなる本発明の照明装置の斜視図、図３はその断面図であり、図示するように、放電管１の他方の電極端子４が、放電管保持部材５と同構造で取付部６’と電極保持部７’を有した保持部材５’の電極保持部７’に保持され、さらに保持部材５’は、取付板１０に半田１２により保持部材５と同様にして取り付けられる。
【００２２】
図４は、本発明の照明装置の第２の実施例である断面図であり、放電管保持部材１３は、取付板への取付部を放電管保持部材５の電極保持部７に対して前実施例とは反対位置にした形状で、取付板１０への取付部１４と電極保持部１５よりなり、取付部１４には穴８と同様の穴（図番付さず）が設けられており、取付板１０への取付は、前実施例と同様にして半田１２により取付板の導電部に取り付けられる。また、放電管１の電極端子３の電極保持部１５は、電極端子３の外径と略同等の径の穴１６を有し、電極端子３はこの穴１６に挿通して、半田１２により固着される。なお、この電極保持部１５は、前実施例と同様の構造にしてもよく、この場合には電極端子保持に際し、半田付けによる作業をなくすことができる。
【００２３】
図５は本発明の照明装置の第３の実施例である分解斜視図、図６はその断面図である。図において、１７は放電管保持部材であり、電極端子３と略同径の幅の溝を有した電極保持部１８と取付板への取付部１９を有している。２０は取付板であり、放電管保持部材１７の取付部１９が挿通される挿通穴２１と導電部２２を有している。
【００２４】
取付板２０への放電管の保持は、放電管保持部材１７の取付部１９を挿通穴２１に挿通し、図６のように半田付けによって固定し、次いで保持部１８に放電管１の電極端子３を挿通し、半田１２により固着して行われる。
【００２５】
以上の実施例の照明装置における放電管は、ガラス管の両端に棒状の電極端子を封止した形状のものであるが、他の放電管、例えば図７のようにガラス管２の両端に封止される電極が、電極端子２３、２４と溶接された金属板２５、２６を有した形状のものである放電管にも適用できる。
【００２６】
【発明の効果】
以上述べたように、本発明の照明装置は、放電管の両端に封止される電極端子を保持するとともに放電管を保持する保持部材をフラットケーブルやプリント基板に取り付ける構成にしたので、取付板への取付に際して、従来のように放電管の電極端子を折り曲げ加工する必要もなく、ガラス管の封止部に余計な力がかかってガラス管における電極端子の封止部が損傷することがない。また、取付板への放電管の取付は、放電管保持部材を取付板に取り付け、この保持部材に放電管を保持させるだけなので、作業性に富んだものにすることができる。
【図面の簡単な説明】
【図１】本発明の照明装置の第１の実施例である分解斜視図
【図２】図１に係る照明装置の組立斜視図
【図３】図２の照明装置の組立図の断面図
【図４】本発明の照明装置の第２の実施例である断面図
【図５】本発明の照明装置の第３の実施例である分解斜視図
【図６】図５の実施例にかかる照明装置の組立断面図
【図７】本発明の照明装置に使用される放電管の他の実施例である断面図
【図８】照明装置の従来例である断面図
【図９】照明装置の他の従来例である断面図
【符号の説明】
１  放電管
２  ガラス管
３、４  電極端子
５、５’  放電管保持部材
６、６’  取付部
７、７’  電極保持部
８  穴
９  嵌合部
１０  取付板
１１  導電部
１２  半田
１３  放電管保持部材
１４  取付部
１５  電極保持部
１６  穴
１７  放電管保持部材
１８  電極端子保持部
１９  取付部
２０  取付板
２１  挿通穴
２２  導電部
２３、２４  電極端子
２５、２６  金属板
【図１】
0004226102.tif 000002
【図２】
0004226102.tif 000003
【図３】
0004226102.tif 000004
【図４】
0004226102.tif 000005
【図５】
0004226102.tif 000006
【図６】
0004226102.tif 000007
【図７】
0004226102.tif 000008
【図８】
0004226102.tif 000009
【図９】
0004226102.tif 000010